(57)【要約】【課題】空間活用度を極大化することによって、現代人の特定用途の空間に対する欲求と他人に妨げられることを嫌う趣向を同時に満足させながらも、相対的に少ない富を有する者も利用可能な特定用途の空間を具備した知能型建築物を提供すること。【解決手段】特定居住者が居住し、該居住者の承諾なしには他人の利用が不可能な複数の常時的専用空間；特定居住者が利用している間は同居住者の承諾なしには他人の利用が不可能な複数の時分割的専用空間；特定居住者が利用している間は同居住者の承諾なしには他人の利用が不可能となり、移動により、常時的専用空間と時分割的専用空間の中の任意の２つの空間を互いに連結し得る少なくとも一つ以上の時分割的専用移動手段；及び上記常時的専用空間、時分割的専用空間、及び時分割的専用移動手段に連結され、これらをを制御できるサーバー；を具備した知能型建築物を提供する。【選択図】図２
2008518128.tif 000002
【特許請求の範囲】
【請求項１】
特定居住者が居住し、該居住者の承諾なしには他人の利用が不可能な複数の常時的専用空間；
上記常時的専用空間に居住する居住者が利用可能であり、特定居住者が利用している間は同居住者の承諾なしには他人の利用が不可能な複数の時分割的専用空間；
上記常時的専用空間に居住する居住者が利用可能で、特定居住者が利用している間は同居住者の承諾なしには他人の利用が不可能となり、移動により、常時的専用空間等と時分割的専用空間等の中の任意の２つの空間を互いに連結し得る少なくとも一つ以上の時分割的専用移動手段；
及び上記常時的専用空間、時分割的専用空間、及び時分割的専用移動手段に連結されていて、これらから情報を収集でき、決まった規則に沿って常時的専用空間、時分割的専用空間、及び時分割的専用移動手段を制御できるサーバー；を具備した知能型建築物。
【請求項２】
上記常時的専用空間等の各々は、時分割的専用空間等が利用可能か否かを確認できる第１確認手段、及び時分割的専用移動手段を呼出できる第１呼出手段を備えており、
上記第１確認手段及び第１呼出手段は、上記サーバーに連結されていることを特徴とする請求項１に記載の知能型建築物。
【請求項３】
上記時分割的専用空間等の各々は、当該時分割的専用空間の利用状態を感知する第１利用状態感知手段、他の時分割的専用空間が利用可能か否かを確認できる第２確認手段、及び時分割的専用移動手段を呼出できる第２呼出手段を備えており、
上記第１利用状態感知手段、第２確認手段、及び第２呼出手段は、上記サーバーに連結されていることを特徴とする請求項２に記載の知能型建築物。
【請求項４】
上記時分割的専用移動手段等の各々は、当該時分割的専用移動手段の利用状態を感知する第２利用状態感知手段、時分割的専用移動手段等が利用可能か否かを確認できる第３確認手段、及び特定の時分割的専用空間や特定の常時的専用空間への移動を指示できる指示手段を備えており、
上記第２利用状態感知手段、第３確認手段、及び指示手段は、上記サーバーに連結されていることを特徴とする請求項３に記載の知能型建築物。
【請求項５】
上記知能型建築物内には、少なくとも２つ以上の時分割的専用移動手段が備えられ、このうち少なくとも２つの時分割的専用移動手段は互いに隣接して設置されていて、隣接した時分割的専用移動手段は上記サーバーの制御により互いに連結可能であることを特徴とする請求項１乃至４の何れか一つに記載の知能型建築物。
【請求項６】
少なくとも一つの常時的専用空間とこれに隣接した時分割的専用空間との間には可変ドアが設置され、該可変ドアの使用可能可否は上記サーバーで制御できることを特徴とする請求項１乃至４の何れか一つに記載の知能型建築物。
【請求項７】
上記サーバが上記常時的専用空間、時分割的専用空間、及び時分割的専用移動手段から情報を交換する過程が、ユビキタス環境の下で行われることを特徴とする請求項１乃至４の何れか一つに記載の知能型建築物。
【請求項８】
空間需要の変化に答えるように、上記居住者の要請によって上記時分割的専用空間が上記常時的専用空間に転用されたり、上記常時的専用空間が上記時分割的専用空間に転用されることができることを特徴とする請求項１乃至４の何れか一つに記載の知能型建築物。
【請求項９】
特定居住者が居住し、該居住者の承諾なしには他人の利用が不可能な複数の常時的専用空間；
多数の居住者が同時に利用可能な同時利用空間等；
上記常時的専用空間に居住する居住者が利用可能であり、特定居住者が利用している間は同居住者の承諾なしには他人の利用が不可能となり、移動により、常時的専用空間と同時利用空間の中の任意の２つの空間を互いに連結し得る少なくとも一つ以上の時分割的専用移動手段；
及び上記常時的専用空間、同時利用空間、及び時分割的専用移動手段に連結されていて、これらから情報を収集し、決まった規則に沿って常時的専用空間、同時利用空間、及び時分割的専用移動手段を制御できるサーバー；を具備した知能型建築物。
【発明の詳細な説明】
【技術分野】
【０００１】
本発明は、複数の時分割的専用空間を具備した知能型建築物に関するものである。
【背景技術】
【０００２】
建築物とは、建築した構造物を総称するものであり、その用途によって多様に分類されるが、例えば住居用建築物、事務用建築物、工場用建築物、公演用建築物などがある。
【０００３】
このような建築物は従来、建築物内に居住する居住者の利用可能な空間が固定的に決まって設計されている。
【特許文献１】特開平０９−３２８８１２号公報
【発明の開示】
【発明が解決しようとする課題】
【０００４】
しかし、このように各居住者の利用可能な空間が固定されている場合は、よく使用（例えば、一日に少なくとも一回使用）せずに時々使用する空間もあり得るし、これゆえ、そのような空間の利用率は非常に低くなり全体的な空間活用度も低くなるという問題点がある。
【０００５】
特に、生活水準の向上につれて、現代人の特定用途の空間（例えば、ホームシアター、高級浴室、作業室など）に対しての欲求が以前より強くなりながらも、かかる空間を他人と共用することは嫌う趣向のため、従来は相当な財力家でなければ上記のような特定用途の空間を所有できないという問題点があった。
【０００６】
本発明は、上記のような問題点を解決するために案出されたものであり、その目的は、空間活用度を極大化させることによって、現代人の特定用途の空間に対する欲求と、他人に妨げられることを嫌う趣向を同時に満足させながら、相対的に少ない富を有する者も利用可能な特定用途の空間を具備した知能型建築物を提供することにある。
【０００７】
本発明のもう一つの目的は、個人のプライバシーを尊重しながらも、都合によって、現居住空間を中心に必要な空間を拡張したり不要な空間を減らしたりして、需要の変化を充足させるための引越しの必要性をなくし、また居住者自身に不要な空間を他人が使用できるようにする知能型建築物を提供することにある。
【課題を解決するための手段】
【０００８】
本発明は上記の目的を達成するために、
特定居住者が居住し、該居住者の承諾なしには他人の利用が不可能な複数の常時的専用空間；
上記常時的専用空間に居住する居住者が利用可能であり、特定居住者が利用している間は同居住者の承諾なしには他人の利用が不可能な複数の時分割的専用空間；
上記常時的専用空間に居住する居住者が利用可能で、特定居住者が利用している間は同居住者の承諾なしには他人の利用が不可能となり、移動により、常時的専用空間と時分割的専用空間の中の任意の２つの空間を互いに連結し得る少なくとも１つ以上の時分割的専用移動手段；及び
上記常時的専用空間、時分割的専用空間、及び時分割的専用移動手段に連結されていて、これらから情報を収集でき、決まった規則に沿って常時的専用空間、時分割的専用空間、及び時分割的専用移動手段を制御できるサーバー；を具備した知能型建築物を提供する。
【０００９】
本発明が対象とする建物は、主に住居を目的とする建築物、例えばアパート、オフィステル、住商複合建物などであるが、本発明を適用する居住形態はこれらに限るものではなく、ホテルのような準住居建物やアパート型工場など多様な形態の建物にも同様に適用可能である。
【００１０】
上記常時的専用空間らの各々は、時分割的専用空間等が利用可能か否かを確認できる第１確認手段、及び時分割的専用移動手段を呼出できる第１呼出手段を備えることが望ましく、上記第１確認手段及び第１呼出手段は、上記サーバーに連結されていることが望ましい。
【００１１】
上記時分割的専用空間らの各々は、当該時分割的専用空間の利用状態を感知する第１利用状態感知手段、他の時分割的専用空間らが利用可能か否かを確認できる第２確認手段、及び時分割的専用移動手段を呼出できる第２呼出手段を備えることが望ましく、上記第１利用状態感知手段、第２確認手段、及び第２呼出手段は、上記サーバーに連結されていることが望ましい。
【００１２】
上記時分割的専用移動手段らの各々は、当該時分割的専用移動手段の利用状態を感知する第２利用状態感知手段、時分割的専用空間らが利用可能か否かを確認できる第３確認手段、及び特定の時分割的専用空間や特定の常時的専用空間への移動を指示できる指示手段を備えることが望ましく、上記第２利用状態感知手段、第３確認手段、及び指示手段は、上記サーバーに連結されていることが望ましい。
【００１３】
上記知能型建築物内には、少なくとも２つ以上の時分割的専用移動手段が設けられ、このうち少なくとも２つの時分割的専用移動手段は互いに隣接して設置されていて、隣接した時分割的専用移動手段は上記サーバーの制御により互いに連結可能であることが望ましい。
【００１４】
少なくとも１つの常時的専用空間と、これに隣接した時分割的専用空間との間には可変ドアが設置され、該可変ドアの使用可能可否は上記サーバーで制御できることが望ましい。
【００１５】
一方、以上は個人のプライバシーが保障される専用空間の活用のためのものであるが、空間自体の特性上、特定時点に特定居住者のみの使用が困難な場合もある。例えば、食堂、スカイラウンジ、水泳場などの空間はその性格や費用などを考慮する時、多数の居住者が同時に利用できるようにしても大きな問題はなく、むしろこのようにした方が、建築物の運用効率上も望ましい（以下、かかる空間を‘同時利用空間’という）。
【００１６】
しかし、このような同時利用空間については、多数の居住者が同時に利用できるようにする一方で、同時利用空間への移動時には相変らずプライバシーを尊重するための工夫が必要となる。
【００１７】
このために本発明は、
特定居住者が居住し、該居住者の承諾なしには他人の利用が不可能な複数の常時的専用空間；
多数の居住者が同時に利用可能な同時利用空間ら；
上記常時的専用空間に居住する居住者が利用可能であり、特定居住者が利用している間は同居住者の承諾なしには他人の利用が不可能となり、移動により、常時的専用空間と同時利用空間の中の任意の２つの空間を互いに連結し得る少なくとも１つ以上の時分割的専用移動手段；及び
上記常時的専用空間、同時利用空間、及び時分割的専用移動手段に連結されていて、これらから情報を収集し、決まった規則に沿って常時的専用空間、同時利用空間、及び時分割的専用移動手段を制御できるサーバー；を具備した知能型建築物を提供する。
【００１８】
このような構成によれば、例えば、水泳場の場合、居住者は自身の常時的専用空間から水泳場に移動する時に、水着姿のままで時分割的専用移動手段を通して移動することができ、また水泳が終わったら、別途の脱衣室で着替えたりシャワー室でシャワーをする必要なく、水着姿のままで時分割的専用移動手段を通して自身の常時的専用空間に直ぐに移動することができる。
【発明を実施するための最良の形態】
【００１９】
以下、図１乃至図４を参照し、本発明の知能型建築物について詳細に説明する。
【００２０】
本発明の知能型建築物は、図１に示されているように、複数の常時的専用空間Ｓ１，Ｓ２，…，Ｓｎ、複数の時分割的専用空間Ｒ１，Ｒ２，…，Ｒｎ，Ｒｎ＋１，…，Ｒｍ，Ｒｍ＋１，…，Ｒｌ、時分割的専用移動手段Ｅ１，Ｅ２，…，Ｅｎ、及びサーバーを具備する。
【００２１】
常時的専用空間Ｓ１，Ｓ２，…，Ｓｎとは、特定居住者（例えば、家族に代表される居住者群を含む）のみが利用可能で、この居住者の承諾なしには他人の利用が不可能な空間であり、これは従来通常のアパートにおいて、一つの家族のみが利用可能な一つの居住空間に対応される。
【００２２】
時分割的専用空間Ｒ１，Ｒ２，…，Ｒｎ，Ｒｎ＋１，…，Ｒｍ，Ｒｍ＋１…，Ｒｌとは、複数の常時的専用空間に居住する居住者が利用可能であり、特定居住者が利用している間は同居住者の承諾なしには他人の利用が不可能な空間である。すなわち、時分割的専用空間は、任意の居住者が時分割して独占できる空間である。
【００２３】
時分割的専用空間は、例えばホームシアター、高級浴室、作業室などのような特定用途のための空間にすることができ、例えば、第１群の時分割的専用空間Ｒ１，Ｒ２，…，Ｒｎはホームシアターに、第２群の時分割的専用空間Ｒｎ＋１，…，Ｒｍは高級浴室に、また第３群の時分割的専用空間Ｒｍ＋１，…，Ｒｌは作業室にすることができる。
【００２４】
時分割的専用移動手段Ｅ１，Ｅ２，…，Ｅｎとは、複数の常時的専用空間に居住する居住者が利用可能で、特定居住者が利用している間は同居住者の承諾なしには他人の利用が不可能な移動手段であり、その移動により、常時的専用空間と時分割的専用空間の中の任意の２つの空間を互いに連結することができる。例えば、エレベータが時分割的専用移動手段として利用可能であり、エレベータの中でもマルチデッキエレベータを利用することができる。
【００２５】
サーバーは、上記常時的専用空間、時分割的専用空間及び時分割的専用移動手段に連結されていてこれらから情報を収集し、決まった規則に沿って常時的専用空間、時分割的専用空間及び時分割的専用移動手段を制御する役割を果たす。
【００２６】
常時的専用空間Ｓ１，Ｓ２，…，Ｓｎについて詳細に説明すると、これらの各々は、時分割的専用空間らＲ１，Ｒ２，…，Ｒｎ，Ｒｎ＋１，…，Ｒｍ，Ｒｍ＋…，Ｒｌが利用可能か否かを確認できる第１確認手段、及び時分割的専用移動手段Ｅ１，Ｅ２，…，Ｅｎを呼出できる第１呼出手段を具備している。上記第１確認手段及び第１呼出手段は上記サーバーに連結されている。
【００２７】
サーバーは、時分割的専用空間らＲ１，Ｒ２，…，Ｒｎ，Ｒｎ＋１，…，Ｒｍ，Ｒｍ＋１…，Ｒｌの利用状態を各々感知する複数の第１利用状態感知手段から時分割的専用空間等の利用状態に関する情報を伝送され、特定居住者が利用できる時分割的専用空間に関する情報を、上記居住者の要請に従ってまたは常時的に、第１確認手段を通して上記居住者に伝達する。上記居住者は、第１確認手段から伝達された情報を確認して自身が利用すべき時分割的専用空間を決定できるが、特定の時分割的専用空間を利用することに決定した時には、上記第１呼出手段を通して時分割的専用移動手段を呼出することができる。
【００２８】
第１確認手段及び第１呼出手段は、公知の電子機器を用いて具現できるものであり、常時的専用空間と時分割的専用移動手段との出会い領域（例えば、時分割的専用移動手段の一例となるエレベータの呼出ボタンがある部分）に設けられた第１インターフェースパネルＳｃに一体化していても良く、またこれら手段の役割を、ホームネットワーク（Home network）で連結された家庭用電子機器（例えば、テレビ受像機）やモバイルネットワーク装置が代わっても良い。
【００２９】
図２に示すように、常時的専用空間Ｓ１，Ｓ２，…，Ｓ５の各々は、隣接した時分割的専用移動手段Ｅ１，Ｅ２，…，Ｅ８と連結可能であるが、サーバーは、各常時的専用空間に居住する居住者の承諾なしには、それぞれの常時的専用空間に隣接した時分割的専用移動手段のドア（例えば、常時的専用空間Ｓ５の場合は、時分割的専用移動手段Ｅ７のＸ方向のドアと、時分割的専用移動手段Ｅ６の−Ｘ方向のドア）が開かないように制御する。
【００３０】
時分割的専用空間らＲ１，Ｒ２，…，Ｒｎ，Ｒｎ＋１，…，Ｒｍ，Ｒｍ＋１…，Ｒｌについて詳細に説明すると、これらの各々は、他の時分割的専用空間等が利用可能か否かを確認できる第２確認手段、及び時分割的専用移動手段Ｅ１，Ｅ２，…，Ｅｎを呼出できる第２呼出手段を具備している。上記第２確認手段及び第２呼出手段は上記サーバーに連結されている。
【００３１】
サーバーは、時分割的専用空間らＲ１，Ｒ２，…，Ｒｎ，Ｒｎ＋１，…，Ｒｍ，Ｒｍ＋１…，Ｒｌの利用状態を各々感知する複数の第１利用状態感知手段から時分割的専用空間等の利用状態に関する情報を伝送され、特定の時分割的専用空間を利用している居住者に、利用可能な時分割的専用空間に関する情報を上記居住者の要請に従ってまたは常時的に、第２確認手段を通して伝達する。上記居住者は、第２確認手段から伝達された情報を確認して自身が利用すべき他の時分割的専用空間を決定できるが、特定の時分割的専用空間を利用することに決定した時には、第２呼出手段を通して時分割的専用移動手段を呼出することができる。
【００３２】
第２確認手段及び第２呼出手段は、公知の電子機器を用いて具現できるものであり、時分割的専用空間と時分割的専用移動手段との出会い領域（例えば、時分割的専用移動手段の一例となるエレベータの呼出ボタンがある部分）に設けられた第２インターフェースパネルＲｃに一体化していてもよく、モバイルネットワーク装置で構成されてもよい。
【００３３】
時分割的専用空間らＲ１，Ｒ２，…，Ｒ７の各々は、隣接した時分割的専用移動手段Ｅ１，Ｅ２，…，Ｅ８と連結可能であるが、サーバーは、時分割的専用空間を利用している居住者の承諾なしには、時分割的専用空間に対応する時分割的専用移動手段のドア（例えば、図３の時分割的専用空間Ｒ２１の場合は、時分割的専用移動手段Ｅ６のＹ方向のドア）が開かないように制御する。
【００３４】
時分割的専用移動手段らＥ１，Ｅ２，…，Ｅｎについて詳細に説明すると、これらの各々は、当該時分割的専用移動手段の利用状態を感知する第２利用状態感知手段、時分割的専用空間等が利用可能か否かを確認できる第３確認手段、及び特定の時分割的専用空間または特定の常時的専用空間への移動を指示できる指示手段を備えている。上記第２利用状態感知手段、第３確認手段、及び指示手段は、上記サーバーに連結されている。
【００３５】
サーバーは、時分割的専用空間らＲ１，Ｒ２，…，Ｒｎ，Ｒｎ＋１，…，Ｒｍ，Ｒｍ＋１…，Ｒｌの利用状態を各々感知する複数の第１利用状態感知手段から時分割的専用空間等の利用状態に関する情報を伝送され、特定の時分割的専用移動手段を利用している居住者に、利用可能な時分割的専用空間に関する情報を同居住者の要請に従ってまたは常時的に、第３確認手段を通して伝達する。上記居住者は、第３確認手段から伝達された情報を確認して自身が利用すべき時分割的専用空間を決定できるが、特定の時分割的専用空間を利用することに決定した時には、指示手段を利用して自身が搭乗している時分割的専用移動手段の移動を指示することができる。
【００３６】
第３確認手段及び指示手段は、公知の電子機器を用いて具現できるものであり、エレベータの指示ボタン等が設置された部分に設けられる第３インターフェースパネルＥｃに一体化していてもよく、モバイルネットワーク装置で構成されてもよい。
【００３７】
第１利用状態感知手段及び第２利用状態感知手段に採択可能なセンサーとしては、ドアの開閉を感知する各種の物理的、電磁気的手段は勿論のこと、居住者の生体情報を感知できるセンサー、居住者が所持するＲＦＩＤを感知するセンサーなどが挙げられる。
【００３８】
一方、常時的専用空間、時分割的専用空間、及び時分割的専用移動手段から上記サーバーが情報を収集する過程は、状況を分析して命令を下すユビキタス環境の下で行われることができる。
【００３９】
居住者の状況を認識して特定の時分割的専用空間の使用意図を理解したサーバーは、現在の空間状況を分析して最も適切な時分割的専用空間を選択し、時分割的専用移動手段の運転を作動させることができる。
【００４０】
知能型建築物は様々な形態で設計することができ、同じ知能型建築物内の常時的専用空間らが配置された層も、互いに異なる形で設計されることができる。また知能型建築物の各層は、図２に示すように常時的専用空間らＳ１，Ｓ２，Ｓ３，Ｓ４，Ｓ５と、時分割的専用空間らＲ１，Ｒ２，…，Ｒ７とがある層、図３に示すように時分割的専用空間らＲ１１，Ｒ１２，…，Ｒ２６のみある層、及び常時的専用空間等のみある層のいずれの形態で設計され、必要によって各種類の層が二層以上であってもよい。
【００４１】
図２に示された層には、常時的専用空間らＳ１，Ｓ２，Ｓ３，Ｓ４，Ｓ５、時分割的専用空間らＲ１，Ｒ２，…，Ｒ７、及び時分割的専用移動手段らＥ１，Ｅ２，…，Ｅ８が存在する。上記時分割的専用移動手段らは、図面の前方（図４のＺ方向）または後方（図４の−Ｚ方向）へ移動できるものであるが、図２は、これら移動手段が任意の一時点に全て同図の層に存在する状態を示す。これは図３においても同様である。
【００４２】
その他、図２には共用移動手段Ｐ１，Ｐ２、共用階段ＳＴ、及び共用移動手段と共用階段と常時的専用空間らとを連結する廊下Ｈがあるものと図示されている。これらは従来の建築物に既に採択されているもので、建築関連の法律上必要なものであるかもしれないが、本発明の具現にあたって必須のものではない。例えば、エレベータを共用移動手段として採択することもできる。
【００４３】
以下では、図２乃至図４を参照して、知能型建築物の利用について説明する。各居住者は、特定の時分割的専用空間の利用を希望することもでき、特定種類の時分割的専用空間中の任意の一つの空間の利用を希望することもできるが、後述する時分割的専用空間の利用にあたっては、特定の時分割的専用空間の利用を希望する場合を中心に説明する。特定居住者が特定種類の時分割的専用空間中の任意の一つの空間の利用を希望する場合には、利用可能な時分割的専用空間をサーバーが指定出来る。
【００４４】
図４に示す常時的専用空間Ｓ５は図２にも示されており、図４に示す時分割的専用空間Ｒ２１は図３にも示されている。また、図４の時分割的専用空間Ｒ１２２は、上記常時的専用空間Ｓ５がある層でもなく時分割的専用空間Ｒ２１がある層でもない、他の層にあるものであって、図３に示す時分割的専用空間Ｒ２２に対して垂直方向（Ｚ方向または−Ｚ方向）に対応する位置にある空間である。時分割的専用空間Ｒ２１を、例えばホームシアターにしてもよく、他の時分割的専用空間Ｒ１２２は高級浴室にしてもよい。
【００４５】
常時的専用空間Ｓ５に居住する居住者が特定の時分割的専用移動手段Ｅ６を呼出すと、サーバーは、上記時分割的専用移動手段Ｅ６の第２利用状態感知手段から伝送された情報を確認して、上記時分割的専用移動手段Ｅ６を他人が利用していないならば、図４に示すように、上記時分割的専用移動手段Ｅ６を上述した居住者の利用に提供する。時分割的専用移動手段Ｅ６が上述した居住者によって呼出された時に、それを他人が利用していたとすれば、サーバーは、その人の利用が終了してから時分割的専用移動手段Ｅ６を常時的専用空間Ｓ５に居住する居住者に提供する。
【００４６】
常時的専用空間Ｓ５に居住する居住者は、時分割的専用移動手段Ｅ６の−Ｘ方向にあるドアを通して時分割的専用移動手段Ｅ６に搭乗し、その後、その内部に設置されている第３インターフェースパネルＥｃを操作することで、利用可能な特定時分割的専用空間Ｒ２１への移動を指示することができる。
【００４７】
上記時分割的専用移動手段Ｅ６には色んな方向にドアが設置されていて、居住者が時分割的専用空間Ｒ２１へ移動する時にはY方向のドアが開き、時分割的専用空間Ｒ１２２へ移動する時には−Ｘ方向のドアが開く。
【００４８】
常時的専用空間Ｓ５に居住する居住者が常時的専用空間Ｓ５から時分割的専用空間Ｒ２１へ移動するにしたがって、常時的専用空間Ｓ５と時分割的専用空間Ｒ２１とが実質的に連結されるが、このような連結は、特定の時分割的専用移動手段と連結可能な任意の常時的専用空間と、任意の時分割的専用空間との間で行われることができる。
【００４９】
常時的専用空間Ｓ５に居住する居住者が時分割的専用空間Ｒ２１を利用している間にサーバーは、第１利用状態感知手段を通して時分割的専用空間Ｒ２１が利用中であることを感知しているので、他人が常時的専用空間Ｓ５に居住する居住者の許諾なしに時分割的専用空間Ｒ２１に入場できないように統制する。
【００５０】
この時、他人は時分割的専用空間Ｒ２１を利用している居住者に時分割的専用空間Ｒ２１の共用を申請することができ、時分割的専用空間Ｒ２１を利用している居住者はその申請に対して許諾または拒否できる。さらに、時分割的専用空間Ｒ２１を利用している居住者は、そのような申請を受けること自体を拒否することもできるが、この場合にサーバーは、他人から上記のような申請があってもそれを時分割的専用空間Ｒ２１を利用している居住者には報知しない。このような申請、許諾、及び拒否を実現するためのシステムは、既に公知となっている各種電子機器を用いて具現することができ、これら電子機器の一部は第１インターフェースパネルＳｃ、第２インターフェースパネルＲｃ、及び第３インターフェースパネルＥｃに設置されていてもよい。
【００５１】
時分割的専用空間Ｒ２１を利用している居住者は、第２インターフェースパネルＲｃを通して自身の常時的専用空間Ｓ５の状態（例えば、誰かが廊下Ｈを通して自身の常時的専用空間Ｓ５を訪問したかどうか）をモニターリングでき、自身の常時的専用空間Ｓ５に一緒に居住している者とコミュニケーションすることもできる。
【００５２】
時分割的専用空間Ｒ２１を利用している居住者は、その空間の利用を終了して自身の常時的専用空間Ｓ５または他の利用可能な時分割的専用空間へ移動することができるが、特定空間への移動を決めた時には第２呼出手段を用いて時分割的専用移動手段Ｅ６を呼出し、これに搭乗してその内部に設置されている第３インターフェースパネルＥｃを操作することでその移動を指示する。
【００５３】
以上は、特定の常時的専用空間と特定の時分割的専用空間との間における移動を中心にして説明したが、居住者の移動は、常時的専用空間等Ｓ１，Ｓ２，…，Ｓｎの相互間でも行われる。ただこの場合には、訪問しようとする常時的専用空間の居住者から許諾を受けなければならず、これは上述した時分割的専用空間Ｒ２１の共用に対する申請、許諾及び拒否と類似した形で行われることができる。
【００５４】
図２に示すように、常時的専用空間等Ｓ１，Ｓ２，…，Ｓ５と時分割的専用空間等Ｒ１，Ｒ２，…，Ｒ７が同じ層にある場合は、例えば常時的専用空間Ｓ５と、これに隣接した時分割的専用空間等Ｒ５，Ｒ６とを、これらの間に設置された可変ドアＤによって連結することができる。
【００５５】
上記可変ドアＤの使用可能可否はサーバーによって制御されるが、原則的に可変ドアＤはその使用が可能ではなくて、空間等Ｒ１，Ｒ２，…，Ｒ７が時分割的専用空間として利用されるが、例えば常時的専用空間Ｓ５の居住者が時分割的専用空間Ｒ６を自身の専用空間として常時的に利用しようとする場合には、知能型建築物の管理団に申請してその利用について許諾を受けることで、元々時分割的専用空間として利用されていた空間Ｒ６を、自身の常時的専用空間Ｓ５にすることができる。このように空間Ｒ６が常時的専用空間Ｓ５になると、上記可変ドアＤは、サーバーによって使用が可能な状態となり、時分割的専用移動手段Ｅ７を通して空間Ｒ６を出入できないように統制される。この場合、常時的専用空間になった時分割的専用空間の使用権は、全的にその空間の居住者にあるので、その空間に永久的変形（例えばインテリアリノベーション等）を加えることもできる。
【００５６】
参考までに、上記可変ドアＤが使用不可能な状態にある場合に、常時的専用空間Ｓ５の居住者が時分割的専用空間Ｒ６を利用しようとする時には、時分割的専用移動手段Ｅ７のＸ側ドアを通して時分割的専用移動手段Ｅ７に搭乗してから、時分割的専用移動手段Ｅ７を移動させることなく直ぐにＹ側ドアから降りることで時分割的専用空間Ｒ６に入っていくことができる。
【００５７】
尚、本発明による知能型建築物内には、少なくとも２つの時分割的専用移動手段が互いに隣接して設置されてもよい。時分割的専用移動手段Ｅ５、Ｅ６を例に挙げて説明すると、時分割的専用移動手段Ｅ５と時分割的専用移動手段Ｅ６とは、上記サーバーの制御によって互いに連結されることができる。
【００５８】
時分割的専用移動手段Ｅ５と時分割的専用移動手段Ｅ６の連結は、これら手段が同じ層にある状態で、時分割的専用移動手段Ｅ５の−Ｘ側ドア及び時分割的専用移動手段Ｅ６のＸ側ドアが両方とも開くことにより、時分割的専用移動手段Ｅ５に搭乗していた居住者が、時分割的専用移動手段Ｅ６へ移動したりまたはその逆が可能となる状態になることを意味する。
【００５９】
このように、時分割的専用移動手段Ｅ５と時分割的専用移動手段Ｅ６とを互いに連結可能にすることで、常時的専用空間Ｓ５の居住者は、同じ層にあるが隣接してはいない時分割的専用空間Ｒ３を利用できるのは勿論のこと、他の層の時分割的専用空間Ｒ１９も利用できるようになる。
【００６０】
一方、以上説明した実施例において、上記時分割的専用空間が同時利用空間に代替される場合、多数の居住者が同時に一つの空間を利用することになるが、かかる空間への移動は、時分割的専用移動手段によって行われるため、移動にともなう服装やその他状況におけるプライバシーは相変らず尊重される。
【００６１】
以上説明した実施例において、もし水平移動可能なロープのない（Ropeless）時分割的専用移動手段の使用が可能であるならば、建築物の平面構成は一層流動的になり、居住者の空間接近可能性もより一層高まるばかりか、空間効率も遥かに増大する。
【００６２】
また、元々常時的専用空間として設計された空間も必要によって時分割的専用空間に変更でき、逆に元々時分割的専用空間として設計された空間も必要によって常時的専用空間に変更できるが、これは全て、知能型建築物を管理する管理団がサーバーを制御することによって可能となる。このような変更を通して常時的専用空間等及び時分割的専用空間等の数を最適化することができる。
【００６３】
本発明は、空間活用度を極大化することによって、現代人の特定用途の空間に対する欲求と、他人に妨げられることを嫌う趣向を同時に満足させながらも、相対的に少ない富を持った者も利用可能な特定用途の空間を具備した知能型建築物を提供する。
【００６４】
また、個人のプライバシーを尊重しながらも、都合によって、現在居住している空間を中心に、必要な空間を拡張したり不要な空間を減らしたりすることで、引越しの必要性をなくす効果を奏する。さらに、居住者自身には、不要な空間を他人が利用可能にすることで賃貸収益が得られるという効果もある。
【図面の簡単な説明】
【００６５】
【図１】本発明による知能型建築物の常時的専用空間、時分割的専用空間、時分割的専用移動手段、及びサーバーの連結構造を示す概念図である。
【図２】本発明による知能型建築物の層のうち、常時的専用空間等が配置されている層の一例を示す平面図である。
【図３】本発明による知能型建築物の層のうち、時分割的専用空間等が配置されている層の一例を示す平面図である。
【図４】特定の常時的専用空間に居住する居住者が、時分割的専用移動手段を通して色んな時分割的専用空間のうちの任意の時分割的専用空間へ移動する様態を示す概念図である。
【図１】
2008518128.tif 000003
【図２】
2008518128.tif 000004
【図３】
2008518128.tif 000005
【図４】
2008518128.tif 000006
【手続補正書】
【提出日】平成19年4月23日(2007.4.23)
【手続補正１】
【補正対象書類名】特許請求の範囲
【補正対象項目名】請求項１
【補正方法】変更
【補正の内容】
【請求項１】
特定居住者が居住し、該居住者の承諾なしには他人の利用が不可能な複数の常時的専用空間；
上記常時的専用空間に居住する居住者が利用可能であり、特定居住者が利用している間は同居住者の承諾なしには他人の利用が不可能な複数の時分割的専用空間；
上記常時的専用空間に居住する居住者が利用可能で、特定居住者が利用している間は同居住者の承諾なしには他人の利用が不可能となり、移動により、常時的専用空間等と時分割的専用空間等の中の任意の２つの空間を互いに連結し得る少なくとも一つ以上の時分割的専用移動手段；
及び上記常時的専用空間、時分割的専用空間、及び時分割的専用移動手段に連結されていて、時分割的専用空間等及び時分割的専用移動手段等からその利用状態情報を収集し、上記常時的専用空間、時分割的専用空間または時分割的専用移動手段を利用している居住者に上記収集した利用状態情報を伝送することで、上記居住者が要請した空間に居住者を移送したり、居住者が要請した空間を既に他人が利用している場合はその空間への上記居住者の出入を統制するように時分割的移動手段の動作を制御するサーバー；
を具備した知能型建築物。
【手続補正２】
【補正対象書類名】特許請求の範囲
【補正対象項目名】請求項４
【補正方法】変更
【補正の内容】
【請求項４】
上記時分割的専用移動手段等の各々は、当該時分割的専用移動手段の利用状態を感知する第２利用状態感知手段、時分割的専用空間等が利用可能か否かを確認できる第３確認手段、及び特定の時分割的専用空間や特定の常時的専用空間への移動を指示できる指示手段を備えており、
上記第２利用状態感知手段、第３確認手段、及び指示手段は、上記サーバーに連結されていることを特徴とする請求項３に記載の知能型建築物。
【手続補正３】
【補正対象書類名】特許請求の範囲
【補正対象項目名】請求項６
【補正方法】変更
【補正の内容】
【請求項６】
少なくとも一つの常時的専用空間とこれに隣接した時分割的専用空間との間には可変ドアが設置され、
上記サーバーは、可変ドアを常にロックとするかどうかを制御することを特徴とする請求項１乃至４の何れか一つに記載の知能型建築物。
【手続補正４】
【補正対象書類名】特許請求の範囲
【補正対象項目名】請求項９
【補正方法】変更
【補正の内容】
【請求項９】
特定居住者が居住し、該居住者の承諾なしには他人の利用が不可能な複数の常時的専用空間；
多数の居住者が同時に利用可能な同時利用空間等；
上記常時的専用空間に居住する居住者が利用可能であり、特定居住者が利用している間は同居住者の承諾なしには他人の利用が不可能となり、移動により、常時的専用空間と同時利用空間の中の任意の２つの空間を互いに連結し得る少なくとも一つ以上の時分割的専用移動手段；
及び上記常時的専用空間、同時利用空間、及び時分割的専用移動手段に連結されていて、同時利用空間ら及び時分割的専用移動手段らからその利用状態情報を収集し、上記常時的専用空間、同時利用空間または時分割的専用移動手段を利用している居住者に上記収集した利用状態情報を伝送することで、上記居住者が要請した空間に居住者を移送したり、居住者が要請した空間を既に他人が利用している場合は、その空間への上記居住者の出入を統制するように時分割的移動手段の動作を制御するサーバー；を具備した知能型建築物。
【手続補正５】
【補正対象書類名】明細書
【補正対象項目名】００５５
【補正方法】変更
【補正の内容】
【００５５】
上記可変ドアＤの使用可能可否はサーバーによって制御されるが、原則的に可変ドアＤは常時的にロックとなっていて、空間等Ｒ１，Ｒ２，…，Ｒ７が時分割的専用空間として利用されるが、例えば常時的専用空間Ｓ５の居住者が時分割的専用空間Ｒ６を自身の専用空間として常時的に利用しようとする場合には、知能型建築物の管理団に申請してその利用について許諾を受けることで、元々時分割的専用空間として利用されていた空間Ｒ６を、自身の常時的専用空間Ｓ５にすることができる。このように空間Ｒ６が常時的専用空間Ｓ５になると、上記可変ドアＤは、サーバーによって居住者が開閉できる状態となり、他人が時分割的専用移動手段Ｅ７を通して空間Ｒ６を出入できないように統制される。この場合、常時的専用空間になった時分割的専用空間の使用権は、全的にその空間の居住者にあるので、その空間に永久的変形（例えばインテリアリノベーション等）を加えることもできる。
【手続補正６】
【補正対象書類名】図面
【補正対象項目名】図２
【補正方法】変更
【補正の内容】
【図２】
2008518128.tif 000007
【国際調査報告】
2008518128.tif 000008
2008518128.tif 000009
2008518128.tif 000010
2008518128.tif 000011